(57)【特許請求の範囲】
【請求項１】
各種機器の故障等の異常を無電圧接点信号により検知し、ランプ、ブザー等の報知手段で報知する警報装置において、該警報装置の電源投入後に警報装置の積分回路が定常状態になるまでに入力した前記無電圧接点信号を「異常なし」信号と判別し、その後の異常発生により無電圧接点信号の変位を検知し、警報発生を前記報知手段で報知することで無電圧接点信号が異常発生時に閉路となるａ接点信号と、異常発生時に開路となるｂ接点信号の何れの信号形態にも対応可能とすることを特徴とする警報装置。
【発明の詳細な説明】
【０００１】
【産業上の利用分野】
本発明は、各種機器の故障等の異常を無電圧接点信号により検知し、ランプ、ブザー等の報知手段で報知する警報装置に関する。
【０００２】
【従来の技術】
従来、各種機器の故障等の異常を無電圧接点信号により検知し、ランプ、ブザー等の報知手段で報知する警報装置の警報源には、図７に示すようなものがあった。これは給排水設備の水位異常監視を行うもので、３本の電極棒３１、３２、３３と、満水リレー３４、減水リレー３５から成る液面リレー３６とを用いて、満水異常と減水異常の両方を同時監視する。満水異常時は、満水リレー３４のオン動作により満水警報出力が閉路となるａ接点信号が出力され、減水異常時は減水リレーのオフ動作により減水警報出力が開路となるｂ接点信号が出力される。
【０００３】
また、図８に示すような警報源は、機器監視において、機器故障の出力信号と供給電源の停電信号を無電圧ａ接点リレー４１で出力するもので、故障の出力は故障時にリレー４２、４３のオン動作により閉路となるａ接点信号、供給電源の停電は停電時にリレー４１のオフ動作によるｂ接点信号となる。
【０００４】
図９に図７や図８に示すような警報源５１の出力信号を警報装置５２に入力するシステムを示すが、警報源51には警報信号にａ接点信号と、ｂ接点信号が混在するもので、ｂ接点信号のみ警報源５１又は警報装置５２側に信号変換用リレー５３を設けて信号を変換し、この信号を警報装置５２に入力している。
【０００５】
【発明が解決しようとする課題】
しかしながらこのシステムでは信号変換用リレー５３が必要になるため、コストが上昇すると共に、信号変換用リレー５３を取り付けるためのスペースも必要になる。また、警報装置側に信号変換用リレー５３を設ける場合には、警報装置５２の接点検出回路の電気信号と、信号変換用リレー５３の電気信号が別個のためにｂ接点信号の回路の警報線を専用線にする必要があり、コストを上昇させるという欠点があった。
【０００６】
【課題を解決するための手段】
上記従来の問題点に鑑み、本発明の目的は、警報源に警報を検知するための無電圧接点入力信号が異常発生時に閉路となるａ接点信号と、異常発生時に開路となるｂ接点信号のどちらにも自動的に対応できる警報装置を提供するもので、各種機器の故障等の異常を無電圧接点信号により検知し、ランプ、ブザー等の報知手段で報知する警報装置において、該警報装置の電源投入後に警報装置の積分回路が定常状態になるまでに入力した前記無電圧接点信号を「異常なし」信号と判別し、その後の異常発生により無電圧接点信号の変位を検知し、警報発生を前記報知手段で報知することで無電圧接点信号が異常発生時に閉路となるａ接点信号と、異常発生時に開路となるｂ接点信号の何れの信号形態にも対応可能とすることである。
【０００７】
【発明の実施の形態】
警報装置１は、図１に示すように信号入力端子と、抵抗Ｒ１とコンデンサＣ１で構成された積分回路、ＥＸ−ＯＲ、Ｄ−フリップフロップ、このＤ−フリップフロップのＣＬＲに接続された抵抗Ｒ２とコンデンサＣ２で構成された積分回路、報知手段としてＬＥＤ及びブザーＢＺとで構成され、無電圧接点信号が異常発生時に閉路となるａ接点信号と、異常発生時に開路となるｂ接点信号の何れの信号形態にも対応可能である。
【０００８】
【実施例】
本発明に係る警報装置の一実施例を図１〜図５に示す。以下これらの図面に基づいて本発明を説明する。
【０００９】
警報装置１は、図１に示すように信号入力端子と、抵抗Ｒ１とコンデンサＣ１で構成された積分回路、ＥＸ−ＯＲ、Ｄ−フリップフロップ、このＤ−フリップフロップのＣＬＲに接続された抵抗Ｒ２とコンデンサＣ２で構成された積分回路、報知手段としてＬＥＤ及びブザーＢＺとで構成される。
【００１０】
１．電源投入時
▲１▼警報装置１の電源が投入されると、Ｄ−フリップフロップのＣＬＲ入力が抵抗Ｒ２とコンデンサＣ２で構成された積分回路の過渡現象により、タイムチャートＡの期間「Ｌ」が入力される。その結果Ｄ−フリップフロップ機能表の項目１より、Ｑ出力は「Ｌ」となり、ＬＥＤ、ブザーＢＺともにオフとなる。
▲２▼▲１▼より、タイムチャートＡの期間に信号入力端子に入力されていた状態が「異常なし」の状態となる。
【００１１】
２．警報信号が無電圧ａ接点信号の場合
▲１▼電源投入からＤ−フリップフロップのＱ出力「Ｌ」が確定するまでの間、信号入力端子は開路となっていること。
▲２▼信号入力端子が開路のときＥＸ−ＯＲの入力１、２は共にＶｃｃ、抵抗Ｒ０の影響で「Ｈ」となり、ＥＸ−ＯＲの出力３は「Ｌ」となる。
▲３▼警報発生により信号入力端子が閉路となると、ＥＸ−ＯＲの入力１は「Ｌ」となるが、ＥＸ−ＯＲの入力２は抵抗Ｒ１、コンデンサＣ１で構成された積分回路の過渡現象により、タイムチャートＢの期間「Ｈ」が入力されるため、この期間のＥＸ−ＯＲの出力３は「Ｈ」となる。
▲４▼ＥＸ−ＯＲの出力３は「Ｈ」の立ち上がりエッジを受けたＤ−フリップフロップは、Ｄ入力ににＱバー出力を与えているため機能表の項目２より、Ｑ出力が「Ｈ」となり、ＬＥＤ、ブザーＢＺが共にオンとなり警報を報知する。
▲５▼警報がなくなり、信号入力端子が開路となると、ＥＸ−ＯＲの入力１は「Ｈ」となるが、ＥＸ−ＯＲの入力２は抵抗Ｒ１とコンデンサＣ１で構成された積分回路の過渡現象により、タイムチャートＢの期間「Ｌ」が入力されるため、この期間のＥＸ−ＯＲの出力３は「Ｈ」となる。
▲６▼ＥＸ−ＯＲの出力３の「Ｈ」の立ち上がりエッジを受けたＤ−フリップフロップは機能表の項目３より、Ｑ出力が「Ｌ」となり、ＬＥＤ、ブザーＢＺ共にオフとなり警報報知を停止する。
【００１２】
２．警報信号が無電圧ｂ接点信号の場合
▲１▼電源投入からＤ−フリップフロップのＱ出力「Ｌ」が確定するまでの間、信号入力端子は閉路となっていること。
▲２▼信号入力端子が閉路のときＥＸ−ＯＲの入力１、２は共にＶｃｃ、抵抗Ｒ０の影響で「Ｌ」となり、ＥＸ−ＯＲの出力３は「Ｌ」となる。
▲３▼警報発生により信号入力端子が開路となると、ＥＸ−ＯＲの入力１は「Ｈ」となるが、ＥＸ−ＯＲの入力２は抵抗Ｒ１、コンデンサＣ１で構成された積分回路の過渡現象により、タイムチャートＢの期間「Ｌ」が入力されるため、この期間のＥＸ−ＯＲの出力３は「Ｈ」となる。
▲４▼ＥＸ−ＯＲの出力３は「Ｈ」の立ち上がりエッジを受けたＤ−フリップフロップは、Ｄ入力ににＱバー出力を与えているため機能表の項目２より、Ｑ出力が「Ｈ」となり、ＬＥＤ、ブザーＢＺが共にオンとなり警報を報知する。
▲５▼警報がなくなり、信号入力端子が閉路となると、ＥＸ−ＯＲの入力１は「Ｌ」となるが、ＥＸ−ＯＲの入力２は抵抗Ｒ１とコンデンサＣ１で構成された積分回路の過渡現象により、タイムチャートＢの期間「Ｈ」が入力されるため、この期間のＥＸ−ＯＲの出力３は「Ｈ」となる。
▲６▼ＥＸ−ＯＲの出力３の「Ｈ」の立ち上がりエッジを受けたＤ−フリップフロップは機能表の項目３より、Ｑ出力が「Ｌ」となり、ＬＥＤ、ブザーＢＺ共にオフとなり警報報知を停止する。
【００１３】
また、図６に示すようにリセットスイッチＳＷを用いて、警報表示を自己保持できるようにしてもよい。
【００１４】
尚、本実施例ではＥＸ−ＯＲやＤ−フリップフロップを利用した回路構成としたが、これに限定されるものではなく、マイクロコンピュータを用いてプログラムにより実現することも可能で、本発明の趣旨を逸脱しない範囲で適宜変更可能である。
【００１５】
【発明の効果】
以上説明したように本発明に係る警報装置は、各種機器の故障等の異常を無電圧接点信号により検知し、ランプ、ブザー等の報知手段で報知する警報装置において、該警報装置の電源投入後に警報装置の積分回路が定常状態になるまでに入力した前記無電圧接点信号を「異常なし」信号と判別し、その後の異常発生により無電圧接点信号の変位を検知し、警報発生を前記報知手段で報知することで無電圧接点信号が異常発生時に閉路となるａ接点信号と、異常発生時に開路となるｂ接点信号の何れの信号形態にも対応可能とすることによって、信号形態を確認する手間が不要で、而も信号変換用リレーが不要になるため、コストの削減ができ、取付スペースも不要となる。また、芯線数の増加もなく、結線が単純になり、誤結線がなくなるという効果がある。
【図面の簡単な説明】
【図１】本発明に係る警報装置の一実施例の回路図である。
【図２】本発明に係る警報装置のＤ−フリップフロップの機能表である。
【図３】本発明に係る警報装置の電源投入時のタイムチャートである。
【図４】本発明に係る警報装置の警報信号が無電圧ａ接点信号の場合のタイムチャートである。
【図５】本発明に係る警報装置の警報信号が無電圧ｂ接点信号の場合のタイムチャートである。
【図６】本発明に係る警報装置の他の実施例の回路図である。
【図７】従来の警報源の説明図である。
【図８】従来の警報源の他の実施例の説明図である。
【図９】従来の警報装置の説明図である。
【符号の説明】
１    ＥＸ−ＯＲの入力
２    ＥＸ−ＯＲの入力
３    制御部
【図１】
0004486181.tif 000002
【図２】
0004486181.tif 000003
【図３】
0004486181.tif 000004
【図４】
0004486181.tif 000005
【図５】
0004486181.tif 000006
【図６】
0004486181.tif 000007
【図７】
0004486181.tif 000008
【図８】
0004486181.tif 000009
【図９】
0004486181.tif 000010